(57)【要約】【課題】インピーダンスが低い周波数帯を広げることができるノイズフィルタを提供する。【解決手段】コイル２０と、周波数特性の異なるコンデンサ４０，４１を用いてＬＣフィルタが構成されている。配線板３０において離間して形成した接地用配線パターン３２と信号用配線パターン３３，３４との間にコンデンサ４０，４１が実装されている。信号用配線パターン３３，３４においては、信号用配線パターンにおけるコイル２０から各々のコンデンサ４０，４１に対応して各々分離した状態で各々のコンデンサ４０，４１に延設されている。配線用板材５０はコイル２０の信号出力端子２３と接続される側から各々のコンデンサ４０，４１に対応して各々分離した状態で信号用配線パターン３３，３４に延設されている。【選択図】図２
2010004341.tif 000002
【特許請求の範囲】
【請求項１】
１つのコイルと、前記コイルの信号出力端子側に並列接続された周波数特性の異なる複数のコンデンサとを用いてＬＣフィルタを構成したノイズフィルタであって、
配線板において離間して形成した接地用配線パターンと信号用配線パターンとの間に前記周波数特性の異なる複数のコンデンサが実装され、前記信号用配線パターンにおいては、当該信号用配線パターンにおける前記コイル側から各々のコンデンサに対応して各々分離した状態で各々のコンデンサに延設されている
ことを特徴とするノイズフィルタ。
【請求項２】
一端が前記コイルの信号出力端子と接続されるとともに他端が前記信号用配線パターンに接続された配線用板材を備え、
前記配線用板材は、当該配線用板材における前記コイルの信号出力端子と接続される側から各々のコンデンサに対応して各々分離した状態で延設されている
ことを特徴とする請求項１に記載のノイズフィルタ。
【請求項３】
前記配線用板材はコ字状をなしている
ことを特徴とする請求項２に記載のノイズフィルタ。
【請求項４】
前記配線板には貫通孔が形成されるとともに前記貫通孔の開口部の周囲に形成したランドから前記各々のコンデンサに対応した信号用配線パターンが延設され、前記貫通孔を通る締結部材にて前記コイルの信号出力端子と前記配線板とが締結されることにより前記ランドと前記コイルとが接続されている
ことを特徴とする請求項１に記載のノイズフィルタ。
【発明の詳細な説明】
【技術分野】
【０００１】
本発明はノイズフィルタに係り、詳しくは、ＬＣフィルタにてノイズフィルタを構成したときのコンデンサについての周波数特性の改善に関するものである。
【背景技術】
【０００２】
フィルタ回路の周波数特性の改善を図る技術が特許文献１等に開示されている。特許文献１においては配線パターンの一部をチップコンデンサの電極幅よりも狭く切り欠く等してチップコンデンサをバイパスして流れる電流をカットしている。
【特許文献１】特開平７−２４９８４４号公報
【発明の開示】
【発明が解決しようとする課題】
【０００３】
ところが、特許文献１ではコンデンサ１個の周波数特性を改善してインピーダンスが低い周波数帯を広げることはできるが、コンデンサ１個ではインピーダンスが低い周波数帯を広げるには限界があった。
【０００４】
本発明は、このような背景の下になされたものであり、その目的は、インピーダンスが低い周波数帯を広げることができるノイズフィルタを提供することにある。
【課題を解決するための手段】
【０００５】
請求項１に記載の発明では、１つのコイルと、前記コイルの信号出力端子側に並列接続された周波数特性の異なる複数のコンデンサとを用いてＬＣフィルタを構成したノイズフィルタであって、配線板において離間して形成した接地用配線パターンと信号用配線パターンとの間に前記周波数特性の異なる複数のコンデンサが実装され、前記信号用配線パターンにおいては、当該信号用配線パターンにおける前記コイル側から各々のコンデンサに対応して各々分離した状態で各々のコンデンサに延設されていることを要旨とする。
【０００６】
請求項１に記載の発明によれば、信号用配線パターンをコイルから各コンデンサまで各々分離した状態で延設、即ち、分けて延設することにより、互いに特性を干渉することなく個々のコンデンサの特性を生かした配線とすることができる。その結果、周波数特性の異なる２以上のコンデンサを使ってインピーダンスが低い周波数帯を広げることができる。
【０００７】
請求項２に記載の発明では、請求項１に記載のノイズフィルタにおいて、一端が前記コイルの信号出力端子と接続されるとともに他端が前記信号用配線パターンに接続された配線用板材を備え、前記配線用板材は、当該配線用板材における前記コイルの信号出力端子と接続される側から各々のコンデンサに対応して各々分離した状態で延設されている。
【０００８】
これにより、各々のコンデンサに対して配線パターンに加えて配線用板材をコイルの信号出力端子と接続される側から各コンデンサに対応して各々分離した状態で延設、即ち、分けて延設することにより、互いに特性を干渉することなく個々のコンデンサの特性を生かした配線とすることができる。
【０００９】
請求項３に記載のように、請求項２に記載のノイズフィルタにおいて前記配線用板材はコ字状をなしているものを用いることができる。
請求項４に記載のように、請求項１に記載のノイズフィルタにおいて前記配線板には貫通孔が形成されるとともに前記貫通孔の開口部の周囲に形成したランドから前記各々のコンデンサに対応した信号用配線パターンが延設され、前記貫通孔を通る締結部材にて前記コイルの信号出力端子と前記配線板とが締結されることにより前記ランドと前記コイルとが接続されている構成とすることができる。
【発明の効果】
【００１０】
本発明によれば、インピーダンスが低い周波数帯を広げることができる。
【発明を実施するための最良の形態】
【００１１】
（第１の実施の形態）
以下、本発明を具体化した第１の実施の形態を図面に従って説明する。
図１は、本実施形態におけるノイズフィルタ１の斜視図である。図２について（ａ）は、本実施形態におけるノイズフィルタ１の平面図であり、（ｂ）は（ａ）のＡ−Ａ線での縦断面図である。図３には本実施形態におけるノイズフィルタの配線を含めたコンデンサの等価回路を示す。図４には本実施形態における配線を含めたコンデンサの周波数特性を示す。
【００１２】
本ノイズフィルタは、１つのコイルと、コイルの信号出力端子側に並列接続された周波数特性の異なる２つコンデンサとを用いてＬＣフィルタを構成している。
図１に示すように、ノイズフィルタ１は、アルミ製のベース部材１０と、ベース部材１０に搭載されるコイル２０と、ベース部材１０に搭載される配線板（回路基板）３０と、配線板３０に実装されるチップコンデンサ４０，４１と、コイル２０と配線板３０を電気的に接続する配線用板材（リード）５０と、信号出力板６０を備えている。
【００１３】
ベース部材１０は鋳造品よりなり、底板部１１を有している。ベース部材１０の底板部１１において、図２の右側の上面にコイル２０が固定されている。ベース部材１０の底板部１１において、図２の左側には基板取付用突部（ボス部）１２が四角枠状に形成され、突部１２の上面に配線板３０が搭載されている。ねじＳｃ１，Ｓｃ２が配線板３０を貫通してベース部材１０の基板取付用突部１２に設けた雌ねじ部に螺入され、配線板３０がベース部材１０に固定されている。
【００１４】
配線板３０は、長方形状をなす絶縁板３１の上面に、コ字状をなす接地用配線パターン３２、直線的に延びる信号用配線パターン３３、同じく直線的に延びる信号用配線パターン３４が形成されている。接地用配線パターン３２は図２（ａ）の平面図に示すように直線部３２ａの一端部から直線部３２ｂが延びるとともに直線部３２ａの他端部から直線部３２ｃが直線部３２ｂと平行に延びている。接地用配線パターン３２の直線部３２ｂの先端から離間して信号用配線パターン３３が直線的に延びている。同様に、接地用配線パターン３２の直線部３２ｃの先端から離間して信号用配線パターン３４が直線的に延びている。信号用配線パターン３３，３４は平行に延びている。
【００１５】
配線板３０上においてチップコンデンサ４０が接地用配線パターン３２の直線部３２ｂと信号用配線パターン３３との間に架設され、チップコンデンサ４０の一方の電極が接地用配線パターン３２の直線部３２ｂと半田Ｈ１にて接合されるとともにチップコンデンサ４０の他方の電極が信号用配線パターン３３と半田Ｈ２にて接合されている。同様に、配線板３０上においてチップコンデンサ４１が接地用配線パターン３２の直線部３２ｃと信号用配線パターン３４との間に架設され、チップコンデンサ４１の一方の電極が接地用配線パターン３２の直線部３２ｃと半田Ｈ３にて接合されるとともにチップコンデンサ４１の他方の電極が信号用配線パターン３４と半田Ｈ４にて接合されている。
【００１６】
このように、配線板３０において離間して形成した接地用配線パターン３２と信号用配線パターン３３，３４との間に、周波数特性の異なる２つのコンデンサ４０，４１が実装され、信号用配線パターン３３，３４においては、各々のコンデンサ４０，４１に対応して各々分離した状態で延設されている。
【００１７】
コイル２０は、コイル本体２１が箱型をなし、コイル本体２１がベース部材１０の底板部１１の上面に固定されている。コイル本体２１の側面には帯板状の信号入力端子２２が突設されている。また、コイル本体２１の側面には帯板状の信号出力端子２３が突設されている。信号出力端子２３は配線板３０に向かって延びている。信号出力端子２３は配線板３０よりも上方に、かつ、離間して配置されている。
【００１８】
コンデンサ配線用板材５０は、コイル２０の信号出力端子２３と配線板３０の各信号用配線パターン３３，３４を電気的に接続するためのものである。コンデンサ配線用板材５０は、全体形状としてコ字状をなし、コイル２０の信号出力端子２３につながる基端側直線部５１と、その両端から平行に延びる分岐用直線部５２，５３を備えている。基端側直線部５１の中央部がコイル２０の信号出力端子２３との接続部となる。分岐用直線部５２，５３は、先端側において各々下方に屈曲形成され、垂下部５２ａ，５３ａを構成している。垂下部５２ａ，５３ａの先端には幅狭な接続用突起５２ｂ，５３ｂが形成されている（図１参照）。
【００１９】
コイル２０の信号出力端子２３の下面には、帯板状の信号出力板６０を介してコンデンサ配線用板材５０の基端側直線部５１が配置され、ボルト７０がこれらの部材を貫通しナット７１により締結されている。これにより、コイル２０の信号出力端子２３が信号出力板６０の一端およびコンデンサ配線用板材５０の基端側直線部５１に電気的に接続されている。つまり、信号出力端子２３とコンデンサ配線用板材５０とが電気的に接続されている。
【００２０】
配線板３０における信号用配線パターン３３，３４でのチップコンデンサ４０，４１の設置箇所とは反対側の先端部にスルーホール３５が設けられている。このスルーホール３５にコンデンサ配線用板材５０の接続用突起５２ｂ，５３ｂが挿入され、半田Ｈ５，Ｈ６により信号用配線パターン３３，３４と接合されている。
【００２１】
このように、配線用板材５０は一端（基端側直線部５１）がコイル２０の信号出力端子２３と接続されるとともに他端（接続用突起５２ｂ，５３ｂ）が信号用配線パターン３３，３４に接続され、かつ、配線用板材５０におけるコイル２０の信号出力端子２３との接続部（基端側直線部５１）から各々のコンデンサ４０，４１に対応して各々分離した状態で延設されている。
【００２２】
図３の配線を含めたコンデンサの等価回路において、チップコンデンサ４０は、容量成分Ｃ１と内部インダクタンスＬ１の直列回路よりなり、チップコンデンサ４１は、容量成分Ｃ２と内部インダクタンスＬ２の直列回路よりなる。図３のＬ１１が信号用配線パターン３３、および、コンデンサ配線用板材５０の分岐用直線部５２と基端側直線部５１の半分による寄生インダクタンスであり、また、Ｌ２１が信号用配線パターン３４、および、コンデンサ配線用板材５０の分岐用直線部５３と基端側直線部５１の半分による寄生インダクタンスである。そして、Ｃ１とＬ１とＬ１１の直列回路と、Ｃ２とＬ２とＬ２１の直列回路とが、並列に接続された構成となる。
【００２３】
これにより、特性が図４に実線で示す特性線８０のようになり、コンデンサ４０，４１の個々の特性（特性線２０１，２０２）よりも高インピーダンス側にシフトした特性となる。よって、２つのコンデンサ４０，４１について互いの特性を干渉することなく、個々の特性を活かすことができる。
【００２４】
このようにしてコイル２０の信号出力端子２３とチップコンデンサ４０，４１とを、配線用板材５０については各チップコンデンサ４０，４１に対応して分岐して二又状に延びる形状とするとともに、配線板３０の信号用配線パターンを２本の信号用配線パターン３３，３４に分けた。これにより、図３に示すように、配線用板材５０および信号用配線パターン（３３，３４）の影響をチップコンデンサ４０，４１のそれぞれに分かれて与えられ、チップコンデンサ４０，４１の個々の特性を活かした配線とすることができる。
【００２５】
その結果、図４に示したようにインピーダンスの低い周波数帯を広げることができ、これにより、要求されるノイズ除去領域が広い場合にも対応することができる。
上記実施形態によれば、以下のような効果を得ることができる。
【００２６】
配線板３０における信号用配線パターン（３３，３４）として、配線用板材５０の接続用突起５２ｂ，５３ｂから平行に延びる２本のパターン３３，３４とした。つまり、信号用配線パターン（３３，３４）においては、信号用配線パターンにおけるコイル２０側から各々のコンデンサ４０，４１に対応して各々分離した状態で各々のコンデンサ４０，４１に延設されている（分けて延設されている）。また、配線用板材５０は一端がコイル２０の信号出力端子２３と接続されるとともに他端が信号用配線パターン３３，３４に接続され、配線用板材５０におけるコイル２０の信号出力端子２３と接続される側から各々のコンデンサ４０，４１に対応して各々分離した状態で延設されている。よって、周波数特性の異なる２つのコンデンサ４０，４１を使ってインピーダンスが低い周波数帯を広げることができる。
（第２の実施の形態）
次に、第２の実施の形態を、第１の実施の形態との相違点を中心に説明する。
【００２７】
図５は、第２の実施の形態におけるノイズフィルタを示し、（ａ）は平面図であり、（ｂ）は（ａ）のＡ−Ａ線での縦断面図である。
図２の第１の実施の形態においては配線用板材（リード）５０を備え、配線用板材５０を用いてコイル２０と配線板３０を接続した。これに対し、図５の第２の実施の形態においては、配線用板材（リード）を用いずに、配線板３０の信号用配線パターン３３，３４とコイル２０の信号出力端子２３とを直接、接続している。
【００２８】
図５（ｂ）において、配線板３０にはねじ７２が通る貫通孔３７が形成され、絶縁板３１の上面における貫通孔３７の開口部の周囲には図５（ａ）に示すようにランド３８が形成されている。このランド３８から各々のコンデンサ４０，４１に対応した信号用配線パターン３３，３４が分岐して延設されている。配線板３０のランド３８の上には信号出力板６０が配置され、さらに信号出力板６０の上にコイル２０の信号出力端子２３が延設されている。貫通孔３７を通る締結部材としてのねじ７２がコイル２０の信号出力端子２３と信号出力板６０と配線板３０を通してコイル２０のコイル本体２１に螺入され、コイルの信号出力端子２３と配線板３０とが締結されている。これによりコイル２０の信号出力端子２３が信号出力板６０を挟んで配線板３０のランド３８と電気的に接続されている。
【００２９】
よって、信号用配線パターン（３３，３４）においては、信号用配線パターンにおけるコイル２０との接続部であるランド３８から各々のコンデンサ４０，４１に対応して各々分離した状態で各々のコンデンサ４０，４１に延設されている。その結果、信号用配線パターン（３３，３４）をコイル２０との接続部から各コンデンサ４０，４１まで各々分離した状態で延設、即ち、分けて延設することにより、互いに特性を干渉することなく個々のコンデンサ４０，４１の特性を生かした配線とすることができる。その結果、周波数特性の異なる２つのコンデンサ４０，４１を使ってインピーダンスが低い周波数帯を広げることができる。
【００３０】
本実施形態によれば、以下のような効果を得ることができる。
配線板３０における信号用配線パターン（３３，３４）として、ランド３８から平行に延びる２本のパターン３３，３４とした。つまり、信号用配線パターン（３３，３４）においては、信号用配線パターンにおけるコイル２０側から各々のコンデンサ４０，４１に対応して各々分離した状態で各々のコンデンサ４０，４１に延設されている。よって、各々のコンデンサ４０，４１に対して互いに特性を干渉することなく個々のコンデンサ４０，４１の特性を生かしてインピーダンスが低い周波数帯を広げることができる。
【００３１】
実施形態は前記に限定されるものではなく、例えば、次のように具体化してもよい。
ノイズフィルタ（ＬＣフィルタ）はコイル２０と周波数特性の異なる２つのコンデンサ４０，４１とを用いて構成したが、コイル２０と周波数特性の異なる３つ以上のコンデンサとを用いて構成してもよい。３つ以上のコンデンサを用いる場合には、信号用配線パターンを各々のコンデンサに対応して各々分離して延設する。また、配線用板材についてもコイルの信号出力端子と接続される側から各々のコンデンサに対応して各々分離して延設する。
【図面の簡単な説明】
【００３２】
【図１】第１の実施の形態におけるノイズフィルタの斜視図。
【図２】（ａ）は第１の実施の形態におけるノイズフィルタの平面図、（ｂ）は（ａ）のＡ−Ａ線での縦断面図。
【図３】実施形態におけるノイズフィルタの配線を含めたコンデンサの等価回路図。
【図４】実施形態における配線を含めたコンデンサの周波数特性図。
【図５】（ａ）は第２の実施の形態におけるノイズフィルタの平面図、（ｂ）は（ａ）のＡ−Ａ線での縦断面図。
【符号の説明】
【００３３】
１…ノイズフィルタ、１０…ベース部材、２０…コイル、２３…信号出力端子、３０…配線板、３２…接地用配線パターン、３３…信号用配線パターン、３４…信号用配線パターン、３７…貫通孔、３８…ランド、４０…チップコンデンサ、４１…チップコンデンサ、５０…配線用板材、７２…ねじ。
【図１】
2010004341.tif 000003
【図２】
2010004341.tif 000004
【図３】
2010004341.tif 000005
【図４】
2010004341.tif 000006
【図５】
2010004341.tif 000007